(57)【要約】【課題】  製造上の不都合を生じさせることなく、包装付き成形米飯食品に使用するシート体の意匠性や風合いを高める。【解決手段】  短手方向に２分割するための分断手段Ｔ１、Ｔ２を有するプラスチック製の表側フィルム１０に、短手方向に２分割した一対のフィルム片により表側フィルムの全部又は一部を覆うと共に表側フィルムの分断手段に位置する箇所にフィルム片同士の重なり部を設けたプラスチック製の裏側フィルム１３、１４を重ね合わせ、裏側フィルムのフィルム片同士の重なり部を除いた表側フィルムと裏側フィルムの両側同士をヒートシール手段により接合することにより内部にシート状食品Ｎを収容するための袋部を構成する成形米飯食品を包装するためのシート体において、表側フィルムの上記ヒートシール手段が存する領域Ｆ、Ｆの内側の領域に非プラスチック製のシート材Ｐを積層する。【選択図】      図１
2005306453.tif 000002
【特許請求の範囲】
【請求項１】
短手方向に２分割するための分断手段を有するプラスチック製の表側フィルムに、短手方向に２分割した一対のフィルム片により表側フィルムの全部又は一部を覆うと共に表側フィルムの分断手段に位置する箇所にフィルム片同士の重なり部を設けたプラスチック製の裏側フィルムを重ね合わせ、裏側フィルムのフィルム片同士の重なり部を除いた表側フィルムと裏側フィルムの両側同士をヒートシール手段により接合することにより内部にシート状食品を収容するための袋部を構成する成形米飯食品を包装するためのシート体において、表側フィルムの上記ヒートシール手段が存する領域の内側の領域に非プラスチック製のシート材を積層したことを特徴とする成形米飯食品包装用シート体。
【請求項２】
下記(1) の構成からなるシート体により製袋される包装体と、これに包装される成形米飯食品からなり、成形米飯食品を載せた状態でシート体を上方を開口した直方体に製袋することにより包装体の各内壁面の少なくと３面以上を成形米飯食品に密接させると共に、包装体の相対抗する一対の側壁に内方に折れ線が突出する襠部を形成したことを特徴とする包装付き成形米飯食品。
(1) 短手方向に２分割するための分断手段を有するプラスチック製の表側フィルムに、短手方向に２分割した一対のフィルム片により表側フィルムの全部又は一部を覆うと共に表側フィルムの分断手段に位置する箇所にフィルム片同士の重なり部を設けたプラスチック製の裏側フィルムを重ね合わせ、裏側フィルムのフィルム片同士の重なり部を除いた表側フィルムと裏側フィルムの周縁同士をヒートシール手段により接合することにより内部にシート状食品を収容するための袋部を構成し、表側フィルムの上記ヒートシール手段が存する領域の内側の領域に非プラスチック製のシート材を積層したシート体。
【発明の詳細な説明】
【技術分野】
【０００１】
この発明は、おにぎりなどの成形米飯食品を包装するシート体に関する。
【背景技術】
【０００２】
おにぎりを包装するためのプラスチックフィルム製の包装材として、図８に示すように短手方向に２分割するための分断手段５３を有する長方形の表側フィルム６０に、短手方向に２分割した一対のフィルム片６１、６２により表側フィルムを覆うと共に表側フィルムの分断手段に位置する箇所にフィルム片同士の重なり部を設けた裏側フィルムを重ね合わせ、裏側フィルムのフィルム片同士の重なり部を除いた表側フィルムと裏側フィルムの両側同士をヒートシール手段により接合することにより内部に海苔などのシート状食品Ｎを収容するための袋部を設けたシート体５０が広く使用されている（公知例としては特許文献１）。
【０００３】
この場合、包装材には模様や表示が施されることが不可欠となるが、前記のシート体に対して印刷により模様や表示を付することが一般的であった。
【０００４】
一方、プラスチックフィルムに紙、不織布、金属箔等の非プラスチック製のシート体を積層することによりバリア性や意匠性、それに風合いを高める技術が周知である。そこで、おにぎりの包装フィルムにもこの周知技術を適用することが提案されている（公知例としては特許文献２）。
【０００５】
特に、図７に示すような、全長にわたる分断手段５３を備えたシート体５０と、これに包装されるおにぎりＲからなり、おにぎりを載せた状態でシート体を上方を開口した直方体に製袋することにより包装体の各内壁面の少なくと３面以上をおにぎりに密接させると共に、包装体の相対抗する一対の側壁５１、５１に内方に折れ線５２Ａが突出する襠部５２、５２を形成した包装付き成形米飯食品を想定した場合、特許文献１に開示されているような三角形状の包装体に比し、おにぎりに対する包装体の表面積が広いので、シート体に紙や不織布を積層することにより全体の意匠及び風合いが著しく高まり、食品の高級感を演出するのに最適の手段となり有用性が高い。
【特許文献１】実願平３−３５０６３（実開平６−８２６４）のＣＤ−ＲＯＭ
【特許文献２】特開２００３−２９１９８６
【発明の開示】
【発明が解決しようとする課題】
【０００６】
しかしながら、シート体として表側フィルムと裏側フィルムの両側同士をヒートシール手段により接合することにより内部にシート状食品を収容するための袋部を設けた前記図８に示すようなものを採用した場合、フィルムに非プラスチック製の異素材を積層すると、ヒートシール時の加熱によるフィルム部分と異素材部分の収縮率の違いによりシート体が撓んでカールしてしまい、自動包装機による包装作業に悪影響を与える問題を生じた。
【課題を解決するための手段】
【０００７】
この発明は前記の問題を解消するシート体を提供することを目的として創作されたものであり、短手方向に２分割するための分断手段を有するプラスチック製の表側フィルムに、短手方向に２分割した一対のフィルム片により表側フィルムの全部又は一部を覆うと共に表側フィルムの分断手段に位置する箇所にフィルム片同士の重なり部を設けたプラスチック製の裏側フィルムを重ね合わせ、裏側フィルムのフィルム片同士の重なり部を除いた表側フィルムと裏側フィルムの両側同士をヒートシール手段により接合することにより内部にシート状食品を収容するための袋部を構成する成形米飯食品を包装するためのシート体において、表側フィルムの上記ヒートシール手段が存する領域の内側の領域に非プラスチック製のシート材を積層したことを特徴とする。
【発明の効果】
【０００８】
この発明によれば、非プラスチック製のシート材は表側フィルムと裏側フィルムのヒートシール手段が存する領域を避けてその内側の領域に積層されるので、ヒートシール時に加熱の影響を受けることがなく、シート体が撓むことが防止される効果を生じる。
【発明を実施するための最良の形態】
【０００９】
図１及び図２はこの発明のシート体１の構成を示す図である。このシート体１はプラスチック製の表側フィルム１０と裏側フィルム１３、１４を、内部にシート状食品を収容するための袋部を構成するように重合した構成からなる。表側フィルム１０は長方形からなり、短手方向に２分割するための帯状の切り取りによる分断手段を有する。この実施例においては分断手段として表側フィルム１０に固着される２条の細幅のカットテープＴ１、Ｔ２を採用しているが、引き上げることにより表側フィルム１に帯状の切り取りを与えられるものであれば分断手段はカットテープに限られないことは勿論である。又、ここでは分断手段（カットテープ）の引き上げ開始時における引き裂きを容易にするために、表側フィルムの一端の分断手段の開始箇所の左右に一対の切り込み６Ａ、６Ａを設けている。
【００１０】
裏側フィルムは包装時におにぎりＲに接する側のフィルムであり、表側フィルム１０を覆う形状に短手方向に２分割した一対のフィルム片１３及び１４により構成され、これらのフィルム片は表側フィルムの分断手段に位置する箇所において一部分が重なる重なり部を構成する。
【００１１】
表側フィルム１０と裏側フィルム１３、１４は、裏側フィルムのフィルム片同士の重なり部を除いた周縁にヒートシール部Ｓ１を設けて接合されることにより内部にシート状食品Ｎを収容するための袋部を構成する。尚、この実施例においてはシート状食品Ｎとして海苔を想定しているが、シート状食品は海苔に限定されないことは勿論である。
【００１２】
図中符号Ｐは表側フィルム１０の表面に積層される非プラスチック製のシート材である。このシート材Ｐは包装材の意匠や風合いを高めるために積層されるものであり、紙、不織布、金属箔等が想定される。上記シート材Ｐは前記のヒートシール手段が存する領域Ｆ、Ｆの内側の領域に積層され、これがこの発明の特徴部分を構成する。
【００１３】
図３乃至図６はこの発明のシート体を用いた包装付き成形米飯食品の一例の製造過程を示す図であり、ここでは成形米飯食品として三角形状のおにぎりを例示している。図中符号１はシート体であり、ここにおにぎりＲを当接した状態で折り目２Ｂ、２Ｂを境として包装体の正面部Ａ、底襠部Ｂ、背面部Ｃを構成する領域がおにぎりの正面に密接するようにコ字状に折り曲げられ、その後、折り目２Ａ、２Ａを境として包装体の側襠部Ｄ、Ｄを構成する領域３、３がおにぎり側に折り曲げられる。又、その際に包装体の側襠部Ｄ、Ｄを構成する領域３、３と折り目２Ａに挟まれる領域４が折り目２Ｂ、２Ｂ及び２Ｃ、２Ｃを境として折り畳まれて、領域３、３の裏面に重合される。
【００１４】
以上の過程により上方を開口した直方体からなる包装体が得られ、側襠部Ｄ、Ｄを構成する領域３、３と、折り畳まれてその裏面に重合される領域４がヒートシール箇所Ｓ２において同時にヒートシールされると共に、領域３、３同士もヒートシールされる（図５参照）。
【００１５】
次に、側襠部Ｄ、Ｄを折り目５Ａが包装体内方に突出するように内方に折り込みながら正面部Ａと背面部Ｃを開口において重合し（図６参照）、更に閉止することにより（図示せず）一連の包装は完了する。
【図面の簡単な説明】
【００１６】
【図１】この発明のシート体の分解斜視図。
【図２】同上、断面図。
【図３】この発明のシート体を用いた包装付き成形米飯食品の製造過程を示す斜視図。
【図４】同上、製造過程を示す斜視図。
【図５】同上、製造過程を示す斜視図。
【図６】同上、製造過程を示す斜視図。
【図７】包装付き成形米飯食品の一例を示す斜視図。
【図８】従来技術の成形米飯食品のシート体の分解斜視図。
【符号の説明】
【００１７】
Ｐ            非プラスチック製のシート材
Ｆ            ヒートシール手段が存する領域
Ｒ            成形米飯食品
Ｎ            シート状食品
Ｓ１          ヒートシール部
Ｔ１、Ｔ２    分断手段
１            シート体
１０          表側フィルム
１３          裏側フィルム
１４          裏側フィルム
【図１】
2005306453.tif 000003
【図２】
2005306453.tif 000004
【図３】
2005306453.tif 000005
【図４】
2005306453.tif 000006
【図５】
2005306453.tif 000007
【図６】
2005306453.tif 000008
【図７】
2005306453.tif 000009
【図８】
2005306453.tif 000010
【手続補正書】
【提出日】平成16年12月16日(2004.12.16)
【手続補正１】
【補正対象書類名】特許請求の範囲
【補正対象項目名】全文
【補正方法】変更
【補正の内容】
【特許請求の範囲】
【請求項１】
短手方向に２分割するための分断手段を有するプラスチック製の表側フィルムに、短手方向に２分割した一対のフィルム片により表側フィルムの全部又は一部を覆うと共に表側フィルムの分断手段に位置する箇所にフィルム片同士の重なり部を設けたプラスチック製の裏側フィルムを重ね合わせ、裏側フィルムのフィルム片同士の重なり部を除いた表側フィルムと裏側フィルムの両側同士をヒートシール手段により接合することにより内部にシート状食品を収容するための袋部を構成する成形米飯食品を包装するためのシート体において、表側フィルムの上記ヒートシール手段が存する領域の内側の領域に紙又は不織布又は金属箔製のシート材を積層したことを特徴とする成形米飯食品包装用シート体。
【請求項２】
下記(1) の構成からなるシート体により製袋される包装体と、これに包装される成形米飯食品からなり、成形米飯食品を載せた状態でシート体を上方を開口した直方体に製袋することにより包装体の各内壁面の少なくと３面以上を成形米飯食品に密接させると共に、包装体の相対抗する一対の側壁に内方に折れ線が突出する襠部を形成したことを特徴とする包装付き成形米飯食品。
(1) 短手方向に２分割するための分断手段を有するプラスチック製の表側フィルムに、短手方向に２分割した一対のフィルム片により表側フィルムの全部又は一部を覆うと共に表側フィルムの分断手段に位置する箇所にフィルム片同士の重なり部を設けたプラスチック製の裏側フィルムを重ね合わせ、裏側フィルムのフィルム片同士の重なり部を除いた表側フィルムと裏側フィルムの周縁同士をヒートシール手段により接合することにより内部にシート状食品を収容するための袋部を構成し、表側フィルムの上記ヒートシール手段が存する領域の内側の領域に紙又は不織布又は金属箔製のシート材を積層したシート体。
【手続補正２】
【補正対象書類名】明細書
【補正対象項目名】全文
【補正方法】変更
【補正の内容】
【発明の詳細な説明】
【技術分野】
【０００１】
この発明は、おにぎりなどの成形米飯食品を包装するシート体に関する。
【背景技術】
【０００２】
おにぎりを包装するためのプラスチックフィルム製の包装材として、図８に示すように短手方向に２分割するための分断手段５３を有する長方形の表側フィルム６０に、短手方向に２分割した一対のフィルム片６１、６２により表側フィルムを覆うと共に表側フィルムの分断手段に位置する箇所にフィルム片同士の重なり部を設けた裏側フィルムを重ね合わせ、裏側フィルムのフィルム片同士の重なり部を除いた表側フィルムと裏側フィルムの両側同士をヒートシール手段により接合することにより内部に海苔などのシート状食品Ｎを収容するための袋部を設けたシート体５０が広く使用されている（公知例としては特許文献１）。
【０００３】
この場合、包装材には模様や表示が施されることが不可欠となるが、前記のシート体に対して印刷により模様や表示を付することが一般的であった。
【０００４】
一方、プラスチックフィルムに紙、不織布、金属箔等の非プラスチック製のシート体を積層することによりバリア性や意匠性、それに風合いを高める技術が周知である。そこで、おにぎりの包装フィルムにもこの周知技術を適用することが提案されている（公知例としては特許文献２）。
【０００５】
特に、図７に示すような、全長にわたる分断手段５３を備えたシート体５０と、これに包装されるおにぎりＲからなり、おにぎりを載せた状態でシート体を上方を開口した直方体に製袋することにより包装体の各内壁面の少なくと３面以上をおにぎりに密接させると共に、包装体の相対抗する一対の側壁５１、５１に内方に折れ線５２Ａが突出する襠部５２、５２を形成した包装付き成形米飯食品を想定した場合、特許文献１に開示されているような三角形状の包装体に比し、おにぎりに対する包装体の表面積が広いので、シート体に紙や不織布を積層することにより全体の意匠及び風合いが著しく高まり、食品の高級感を演出するのに最適の手段となり有用性が高い。
【特許文献１】実願平３−３５０６３（実開平６−８２６４）のＣＤ−ＲＯＭ
【特許文献２】特開２００３−２９１９８６
【発明の開示】
【発明が解決しようとする課題】
【０００６】
しかしながら、シート体として表側フィルムと裏側フィルムの両側同士をヒートシール手段により接合することにより内部にシート状食品を収容するための袋部を設けた前記図８に示すようなものを採用した場合、フィルムに非プラスチック製の異素材を積層すると、ヒートシール時の加熱によるフィルム部分と異素材部分の収縮率の違いによりシート体が撓んでカールしてしまい、自動包装機による包装作業に悪影響を与える問題を生じた。
【課題を解決するための手段】
【０００７】
この発明は前記の問題を解消するシート体を提供することを目的として創作されたものであり、短手方向に２分割するための分断手段を有するプラスチック製の表側フィルムに、短手方向に２分割した一対のフィルム片により表側フィルムの全部又は一部を覆うと共に表側フィルムの分断手段に位置する箇所にフィルム片同士の重なり部を設けたプラスチック製の裏側フィルムを重ね合わせ、裏側フィルムのフィルム片同士の重なり部を除いた表側フィルムと裏側フィルムの両側同士をヒートシール手段により接合することにより内部にシート状食品を収容するための袋部を構成する成形米飯食品を包装するためのシート体において、表側フィルムの上記ヒートシール手段が存する領域の内側の領域に紙又は不織布又は金属箔製のシート材を積層したことを特徴とする。
【発明の効果】
【０００８】
この発明によれば、紙又は不織布又は金属箔製のシート材は表側フィルムと裏側フィルムのヒートシール手段が存する領域を避けてその内側の領域に積層されるので、ヒートシール時に加熱の影響を受けることがなく、シート体が撓むことが防止される効果を生じる。
【発明を実施するための最良の形態】
【０００９】
図１及び図２はこの発明のシート体１の構成を示す図である。このシート体１はプラスチック製の表側フィルム１０と裏側フィルム１３、１４を、内部にシート状食品を収容するための袋部を構成するように重合した構成からなる。表側フィルム１０は長方形からなり、短手方向に２分割するための帯状の切り取りによる分断手段を有する。この実施例においては分断手段として表側フィルム１０に固着される２条の細幅のカットテープＴ１、Ｔ２を採用しているが、引き上げることにより表側フィルム１に帯状の切り取りを与えられるものであれば分断手段はカットテープに限られないことは勿論である。又、ここでは分断手段（カットテープ）の引き上げ開始時における引き裂きを容易にするために、表側フィルムの一端の分断手段の開始箇所の左右に一対の切り込み６Ａ、６Ａを設けている。
【００１０】
裏側フィルムは包装時におにぎりＲに接する側のフィルムであり、表側フィルム１０を覆う形状に短手方向に２分割した一対のフィルム片１３及び１４により構成され、これらのフィルム片は表側フィルムの分断手段に位置する箇所において一部分が重なる重なり部を構成する。
【００１１】
表側フィルム１０と裏側フィルム１３、１４は、裏側フィルムのフィルム片同士の重なり部を除いた周縁にヒートシール部Ｓ１を設けて接合されることにより内部にシート状食品Ｎを収容するための袋部を構成する。尚、この実施例においてはシート状食品Ｎとして海苔を想定しているが、シート状食品は海苔に限定されないことは勿論である。
【００１２】
図中符号Ｐは表側フィルム１０の表面に積層されるシート材である。このシート材Ｐは包装材の意匠や風合いを高めるために積層されるものであり、紙、不織布、金属箔等が想定される。上記シート材Ｐは前記のヒートシール手段が存する領域Ｆ、Ｆの内側の領域に積層され、これがこの発明の特徴部分を構成する。
【００１３】
図３乃至図６はこの発明のシート体を用いた包装付き成形米飯食品の一例の製造過程を示す図であり、ここでは成形米飯食品として三角形状のおにぎりを例示している。図中符号１はシート体であり、ここにおにぎりＲを当接した状態で折り目２Ｂ、２Ｂを境として包装体の正面部Ａ、底襠部Ｂ、背面部Ｃを構成する領域がおにぎりの正面に密接するようにコ字状に折り曲げられ、その後、折り目２Ａ、２Ａを境として包装体の側襠部Ｄ、Ｄを構成する領域３、３がおにぎり側に折り曲げられる。又、その際に包装体の側襠部Ｄ、Ｄを構成する領域３、３と折り目２Ａに挟まれる領域４が折り目２Ｂ、２Ｂ及び２Ｃ、２Ｃを境として折り畳まれて、領域３、３の裏面に重合される。
【００１４】
以上の過程により上方を開口した直方体からなる包装体が得られ、側襠部Ｄ、Ｄを構成する領域３、３と、折り畳まれてその裏面に重合される領域４がヒートシール箇所Ｓ２において同時にヒートシールされると共に、領域３、３同士もヒートシールされる（図５参照）。
【００１５】
次に、側襠部Ｄ、Ｄを折り目５Ａが包装体内方に突出するように内方に折り込みながら正面部Ａと背面部Ｃを開口において重合し（図６参照）、更に閉止することにより（図示せず）一連の包装は完了する。
【図面の簡単な説明】
【００１６】
【図１】この発明のシート体の分解斜視図。
【図２】同上、断面図。
【図３】この発明のシート体を用いた包装付き成形米飯食品の製造過程を示す斜視図。
【図４】同上、製造過程を示す斜視図。
【図５】同上、製造過程を示す斜視図。
【図６】同上、製造過程を示す斜視図。
【図７】包装付き成形米飯食品の一例を示す斜視図。
【図８】従来技術の成形米飯食品のシート体の分解斜視図。
【符号の説明】
【００１７】
Ｐ            シート材
Ｆ            ヒートシール手段が存する領域
Ｒ            成形米飯食品
Ｎ            シート状食品
Ｓ１          ヒートシール部
Ｔ１、Ｔ２    分断手段
１            シート体
１０          表側フィルム
１３          裏側フィルム
１４          裏側フィルム